(57)【要約】【課題】複数のコントローラ各々を介して照明器具を制御する場合のユーザ負担を軽減する照明制御装置を提供する。【解決手段】コントローラ２００ａ〜２００ｃを介して各部屋の照明器具の制御を行う照明制御装置１００は、複数の名称（部屋名等）各々と、各コントローラのＳＳＩＤとを対応付けた対応情報１１１を記憶する記憶部１１０と、いずれかのコントローラと接続してそのコントローラと情報の授受を行う通信部１８０と、対応情報１１１における複数の名称を選択肢として表示する表示部１３０と、複数の名称の選択肢のうち１つの名称の選択操作を含むユーザ操作を受け付ける受付部１４０と、受付部１４０により名称の選択操作が受け付けられた場合に、その選択操作に係る名称に対応情報１１１で対応付けられているＳＳＩＤを用いて、コントローラへの無線接続に関連する所定処理を実行する処理部１９０とを備える。【選択図】図２
2018137696.tif 000002
【特許請求の範囲】
【請求項１】
照明器具を制御用情報に従って制御するコントローラを介して、照明器具の制御を行う照明制御装置であって、
複数の名称それぞれと、前記制御用情報の伝送に用いられる複数の無線ネットワークそれぞれについてのネットワーク識別子とを対応付けた対応情報を記憶する記憶部と、
前記複数の無線ネットワークのうちの１つの無線ネットワークと接続して、当該無線ネットワークに含まれるコントローラと情報の授受を行う通信部と、
前記対応情報における前記複数の名称を選択肢として表示する表示部と、
前記複数の名称の選択肢のうち１つの名称の選択操作を含むユーザ操作を受け付ける受付部と、
前記受付部により名称の選択操作が受け付けられた場合に、当該選択操作に係る名称に前記対応情報において対応付けられている、無線ネットワークについてのネットワーク識別子を用いて、当該無線ネットワークとの接続に関連する所定処理を実行する処理部とを備える
照明制御装置。
【請求項２】
前記照明制御装置は更に、ユーザに入力された前記名称を取得することで、前記記憶部に記憶される前記対応情報を生成する設定部を備え、
前記設定部は、
前記複数の無線ネットワークのうち第１領域に所在する照明器具を制御する第１コントローラを含む第１無線ネットワークについての第１ネットワーク識別子に対応付ける前記名称としてユーザに入力された、前記第１領域に係る第１名称を取得し、前記複数の無線ネットワークのうち前記第１領域とは異なる第２領域に所在する照明器具を制御する第２コントローラを含む第２無線ネットワークについての第２ネットワーク識別子に対応付ける前記名称としてユーザに入力された、前記第２領域に係る第２名称を取得し、
少なくとも前記第１ネットワーク識別子と前記第１名称とを対応付けること及び前記第２ネットワーク識別子と前記第２名称とを対応付けることにより、前記対応情報の前記生成を行う
請求項１記載の照明制御装置。
【請求項３】
前記通信部は、接続した無線ネットワークに含まれるコントローラから、当該コントローラが制御する照明器具の状態を示す状態情報を受信し、
前記表示部は更に、前記通信部により受信された状態情報を表す照明制御用画面を表示し、
前記処理部は、前記通信部が前記第１無線ネットワークに接続して前記第１コントローラから受信した状態情報に基づいて前記表示部が前記照明制御用画面を表示している場合において、前記受付部がユーザによる前記第２名称の前記選択操作を受け付けたときには、前記第２ネットワーク識別子を用いて前記通信部に前記第１無線ネットワークから前記第２無線ネットワークへ接続を切り替えさせることを、前記所定処理として実行する
請求項２記載の照明制御装置。
【請求項４】
前記照明制御装置は更に、
前記制御用情報を記録するための記録媒体と、
ユーザによる保存操作に応じて前記制御用情報を含む制御用ファイルを前記記録媒体に記録する保存部とを備え、
前記処理部は、前記記録媒体に記録された制御用ファイルに対して、前記受付部により受け付けられた前記選択操作に係る名称に前記対応情報において対応付けられているネットワーク識別子を関連付けることを、前記所定処理として実行し、
前記照明制御装置は更に、ユーザによる読込操作に応じて前記記録媒体に記録された１つの制御用ファイルを読み込む読込部を備え、
前記通信部は、前記読込部が読み込んだ制御用ファイルに前記ネットワーク識別子が関連付けられている場合には、当該ネットワーク識別子を用いて無線ネットワークに接続して、接続した当該無線ネットワークに含まれるコントローラに、当該制御用ファイルに含まれる前記制御用情報を送信する
請求項１〜３のいずれか一項に記載の照明制御装置。
【請求項５】
前記保存部は、前記通信部が１つの無線ネットワークに接続している場合においては、一定条件下で、前記記録媒体への前記制御用ファイルの前記記録に際して、前記制御用ファイルと当該接続している無線ネットワークについてのネットワーク識別子とを関連付ける
請求項４記載の照明制御装置。
【請求項６】
前記読込部は、ユーザによる読込操作に応じて、前記表示部に、前記記録媒体に記録された１つ以上の制御用ファイルを選択肢として表示させ、当該選択肢のうちユーザによる１つの制御用ファイルの選択操作を受け付けた場合に当該選択操作に係る１つの制御用ファイルを読み込み、
前記読込部は、前記通信部が１つの無線ネットワークに接続している場合においては、一定条件下で、前記表示部に、１つ以上の制御用ファイルの前記選択肢を、当該接続している無線ネットワークについてのネットワーク識別子と関連付けられた制御用ファイルに絞り込ませて、当該選択肢の前記表示を行わせる
請求項４又は５記載の照明制御装置。
【請求項７】
前記照明制御装置は更に、
前記制御用情報を記録するための記録媒体と、
ユーザによる保存操作に応じて前記制御用情報を含む制御用ファイルを前記記録媒体に記録する保存部とを備え、
前記保存部は、前記記録媒体への前記制御用ファイルの前記記録に際して前記制御用ファイルと前記対応情報におけるいずれかのネットワーク識別子とを関連付け、
前記照明制御装置は更に、ユーザによる読込操作に応じて前記記録媒体に記録された１つの制御用ファイルを読み込む読込部を備え、
前記通信部は、前記読込部が読み込んだ制御用ファイルに前記ネットワーク識別子が関連付けられている場合には、当該ネットワーク識別子を用いて無線ネットワークに接続して、接続した当該無線ネットワークに含まれるコントローラに、前記制御用ファイルに含まれる前記制御用情報を送信する
請求項１〜３のいずれか一項に記載の照明制御装置。
【請求項８】
前記照明制御装置は、ユーザの認証に成功した場合に限って照明器具の制御を行う機能を実行し、
前記処理部は、ユーザ毎にユーザの認証に用いる認証情報を設定するための所定権限を有する特定ユーザによるユーザ操作が前記受付部により受け付けられた後において、前記認証情報と、前記受付部により受け付けられた前記特定ユーザによる選択操作に係る名称に前記対応情報において対応付けられているネットワーク識別子とを関連付けて前記記憶部に記憶させることを、前記所定処理として実行し、
前記照明制御装置は更に、前記記憶部に記憶されている前記認証情報を用いてユーザを認証する認証部を備え、
前記通信部は、前記認証部がユーザの認証に成功した場合には、当該ユーザの認証に用いられた前記認証情報に関連付けられているネットワーク識別子を用いて無線ネットワークに接続する
請求項１記載の照明制御装置。
【請求項９】
前記照明制御装置は、ユーザの認証に成功した場合に限って照明器具の制御を行う機能を実行し、
前記記憶部は更に、ユーザ毎にユーザの認証に用いる認証情報と、前記対応情報におけるいずれかのネットワーク識別子とを関連付けて記憶し、
前記照明制御装置は更に、前記記憶部に記憶されている前記認証情報を用いてユーザを認証する認証部を備え、
前記通信部は、前記認証部がユーザの認証に成功した場合には、当該ユーザの認証に用いられた前記認証情報に関連付けられているネットワーク識別子を用いて無線ネットワークに接続し、一定条件下で当該無線ネットワークにおける前記コントローラに前記制御用情報を送信する
請求項１記載の照明制御装置。
【請求項１０】
照明器具を制御する照明制御システムであって、
第１領域に所在する照明器具を制御する第１コントローラと、
前記第１領域とは異なる第２領域に所在する照明器具を制御する第２コントローラと、
前記第１コントローラ及び前記第２コントローラのいずれかのコントローラに制御用情報を送信することで当該コントローラを介して照明器具を制御する照明制御装置とを備え、
前記照明制御装置は、
前記第１コントローラを含む第１無線ネットワークと、前記第２コントローラを含む第２無線ネットワークとのいずれかと接続して制御用情報を送信する通信部と、
前記第１無線ネットワークについての第１ネットワーク識別子と前記第１領域に係る第１名称とを対応付け、前記第２無線ネットワークについての第２ネットワーク識別子と前記第２領域に係る第２名称とを対応付けた対応情報を記憶する記憶部と、
前記対応情報における前記第１名称及び前記第２名称を名称の選択肢として表示する表示部と、
前記名称の選択肢のうち１つの名称の選択操作を含むユーザ操作を受け付ける受付部と、
前記受付部により名称の選択操作が受け付けられた場合に、当該選択操作に係る名称に前記対応情報において対応付けられている、無線ネットワークについてのネットワーク識別子を用いて、当該無線ネットワークとの接続に関連する所定処理を実行する処理部とを備える
照明制御システム。
【請求項１１】
照明器具を制御用情報に従って制御するコントローラを介して照明器具の制御を行う、記憶部及びマイクロプロセッサを含む照明制御装置に、照明制御処理を実行させるための制御プログラムであって、
前記照明制御処理は、
前記複数の無線ネットワークのうち第１領域に所在する照明器具を制御する第１コントローラを含む第１無線ネットワークについての第１ネットワーク識別子に対応付ける名称としてユーザに入力された、前記第１領域に係る第１名称を取得し、前記複数の無線ネットワークのうち前記第１領域とは異なる第２領域に所在する照明器具を制御する第２コントローラを含む第２無線ネットワークについての第２ネットワーク識別子に対応付ける名称としてユーザに入力された、前記第２領域に係る第２名称を取得する取得ステップと、
前記第１ネットワーク識別子と前記第１名称とを対応付け、前記第２ネットワーク識別子と前記第２名称とを対応付けた対応情報を生成して前記記憶部に記憶させる設定ステップと、
前記対応情報における前記第１名称及び前記第２名称を名称の選択肢として表示する表示ステップと、
前記名称の選択肢のうち１つの名称の選択操作を含むユーザ操作を受け付ける受付ステップと、
前記受付ステップで名称の選択操作が受け付けられた場合に、当該選択操作に係る名称に前記対応情報において対応付けられている、無線ネットワークについてのネットワーク識別子を用いて、当該無線ネットワークとの接続に関連する所定処理を実行する処理ステップと、
前記複数の無線ネットワークのうちの１つの無線ネットワークと接続している場合に、当該無線ネットワークに含まれるコントローラに対して前記制御用情報を送信する通信ステップとを含む
制御プログラム。
【発明の詳細な説明】
【技術分野】
【０００１】
本発明は、照明に係る制御を行うための照明制御システム、その照明制御システムで用いられる照明制御装置、及び、その照明制御装置において実行される制御プログラム（コンピュータプログラム）に関する。
【背景技術】
【０００２】
従来、複数の照明器具による照明の調光度（明るさ等）、スケジュール（点灯及び消灯の時等）等に係る制御を行うシステムが知られている。特許文献１における照明管理システムは、識別したユーザに対応する照明制御パラメータ等のスキーマに基づいて照明制御を行う。
【先行技術文献】
【特許文献】
【０００３】
【特許文献１】特表２０１２−５１４８２９号公報
【発明の概要】
【発明が解決しようとする課題】
【０００４】
ところで、部屋毎にその部屋の照明器具を制御するコントローラが配置された環境において、ユーザが操作する１台の操作用端末（照明制御装置）から任意の部屋のコントローラと無線通信することで照明器具を制御する場合に、ユーザには次のような負担がある。まず、ユーザは、例えば無線ＬＡＮ（Local Area Network）のアクセスポイントである各コントローラのうち制御目的となる照明器具が設置されている部屋のコントローラのＳＳＩＤ（Service Set Identifier）を選択する操作により無線ＬＡＮに接続し操作用端末とそのコントローラとの通信を可能にする。そして、ユーザは、操作用端末において照明制御用のアプリケーションプログラム等を起動して照明制御用画面等に応じた操作等を行うことで、操作用端末に照明制御用のパラメータ等の情報をコントローラへと送信させる。複数の部屋の照明器具を制御したいユーザにとっては、各ＳＳＩＤを記憶して上述の操作を繰り返す必要がある。また、いずれかの部屋の照明器具を制御したいユーザは、必要なＳＳＩＤを記憶していなければＳＳＩＤの選択操作を繰り返し試みて反応を確認する必要があり、所望の制御のための操作負担が大きい。従来の照明制御技術では、このような場合のユーザの負担を軽減できない。
【０００５】
そこで、本発明は、複数の無線ネットワークそれぞれのコントローラを介して照明器具を制御する操作用端末であって照明器具の制御に係るユーザの負担を軽減する操作用端末（照明制御装置）を提供することを目的とする。また、本発明は、その照明制御装置を含む照明制御システム、及び、その照明制御装置で用いられる制御プログラムを提供することを目的とする。
【課題を解決するための手段】
【０００６】
上記目的を達成するために本発明の一態様に係る照明制御装置は、照明器具を制御用情報に従って制御するコントローラを介して、照明器具の制御を行う照明制御装置であって、複数の名称それぞれと、前記制御用情報の伝送に用いられる複数の無線ネットワークそれぞれについてのネットワーク識別子とを対応付けた対応情報を記憶する記憶部と、前記複数の無線ネットワークのうちの１つの無線ネットワークと接続して、当該無線ネットワークに含まれるコントローラと情報の授受を行う通信部と、前記対応情報における前記複数の名称を選択肢として表示する表示部と、前記複数の名称の選択肢のうち１つの名称の選択操作を含むユーザ操作を受け付ける受付部と、前記受付部により名称の選択操作が受け付けられた場合に、当該選択操作に係る名称に前記対応情報において対応付けられている、無線ネットワークについてのネットワーク識別子を用いて、当該無線ネットワークとの接続に関連する所定処理を実行する処理部とを備える。
【０００７】
また、本発明の一態様に係る照明制御システムは、照明器具を制御する照明制御システムであって、第１領域に所在する照明器具を制御する第１コントローラと、前記第１領域とは異なる第２領域に所在する照明器具を制御する第２コントローラと、前記第１コントローラ及び前記第２コントローラのいずれかのコントローラに制御用情報を送信することで当該コントローラを介して照明器具を制御する照明制御装置とを備え、前記照明制御装置は、前記第１コントローラを含む第１無線ネットワークと、前記第２コントローラを含む第２無線ネットワークとのいずれかと接続して制御用情報を送信する通信部と、前記第１無線ネットワークについての第１ネットワーク識別子と前記第１領域に係る第１名称とを対応付け、前記第２無線ネットワークについての第２ネットワーク識別子と前記第２領域に係る第２名称とを対応付けた対応情報を記憶する記憶部と、前記対応情報における前記第１名称及び前記第２名称を名称の選択肢として表示する表示部と、前記名称の選択肢のうち１つの名称の選択操作を含むユーザ操作を受け付ける受付部と、前記受付部により名称の選択操作が受け付けられた場合に、当該選択操作に係る名称に前記対応情報において対応付けられている、無線ネットワークについてのネットワーク識別子を用いて、当該無線ネットワークとの接続に関連する所定処理を実行する処理部とを備える。
【０００８】
また、本発明の一態様に係るプログラムは、照明器具を制御用情報に従って制御するコントローラを介して照明器具の制御を行う、記憶部及びマイクロプロセッサを含む照明制御装置に、照明制御処理を実行させるための制御プログラムであって、前記照明制御処理は、前記複数の無線ネットワークのうち第１領域に所在する照明器具を制御する第１コントローラを含む第１無線ネットワークについての第１ネットワーク識別子に対応付ける名称としてユーザに入力された、前記第１領域に係る第１名称を取得し、前記複数の無線ネットワークのうち前記第１領域とは異なる第２領域に所在する照明器具を制御する第２コントローラを含む第２無線ネットワークについての第２ネットワーク識別子に対応付ける名称としてユーザに入力された、前記第２領域に係る第２名称を取得する取得ステップと、前記第１ネットワーク識別子と前記第１名称とを対応付け、前記第２ネットワーク識別子と前記第２名称とを対応付けた対応情報を生成して前記記憶部に記憶させる設定ステップと、前記対応情報における前記第１名称及び前記第２名称を名称の選択肢として表示する表示ステップと、前記名称の選択肢のうち１つの名称の選択操作を含むユーザ操作を受け付ける受付ステップと、前記受付ステップで名称の選択操作が受け付けられた場合に、当該選択操作に係る名称に前記対応情報において対応付けられている、無線ネットワークについてのネットワーク識別子を用いて、当該無線ネットワークとの接続に関連する所定処理を実行する処理ステップと、前記複数の無線ネットワークのうちの１つの無線ネットワークと接続している場合に、当該無線ネットワークに含まれるコントローラに対して前記制御用情報を送信する通信ステップとを含む。
【発明の効果】
【０００９】
本発明によれば、複数の無線ネットワークそれぞれのコントローラを介して照明器具を制御する照明制御装置を操作するユーザの負担が軽減される。
【図面の簡単な説明】
【００１０】
【図１】実施の形態１に係る照明制御システムの概略構成図である。
【図２】実施の形態１に係る照明制御装置の機能ブロック図である。
【図３】照明制御装置で用いられる対応情報の一例を示す図である。
【図４】照明制御装置で表示される照明制御用画面の一例を示す図である。
【図５】照明制御装置で表示されるデータ保存に係る画面の一例を示す図である。
【図６】照明制御装置で表示されるデータ読込に係る画面の一例を示す図である。
【図７】照明制御装置で表示されるネットワーク設定に係る画面の一例を示す図である。
【図８】実施の形態１に係る照明制御装置の動作の一例を示すフローチャートである。
【図９】実施の形態２に係る照明制御装置の機能ブロック図である。
【図１０】照明制御装置で用いられる認証関連情報の一例を示す図である。
【図１１】照明制御装置で表示されるユーザ認証用画面の一例を示す図である。
【図１２】照明制御装置で表示される認証情報設定画面の一例を示す図である。
【図１３】実施の形態２に係る照明制御装置の動作の一例を示すフローチャートである。
【発明を実施するための形態】
【００１１】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
以下、本発明の一実施形態に係る照明制御装置を含む照明制御システム１０について説明する。
【００１３】
照明制御システム１０は、ビル等の建築物において各フロア、各部屋等といった各空間的領域に配置されている複数の照明器具を制御（照明に係るスケジュール、調光度の変更等）するためのシステムである。本実施の形態では、建築物内の各部屋毎に配置された照明器具の制御を、ユーザが大きな負担を負わずに行えるようにする照明制御システム１０について説明する。
【００１４】
［１−１．  照明制御システム１０の構成］
図１は、本実施の形態に係る照明制御システム１０を示す概略構成図である。
【００１５】
同図に示すように、照明制御システム１０は、各部屋（各領域）に配置された照明器具３０ａ〜３０ｌと、部屋内の照明器具を制御するための各部屋に配置されたコントローラ２００ａ〜２００ｃと、各コントローラと通信し得る照明制御装置１００とを備える。ここでは、説明の便宜上、３つの部屋（第１領域〜第３領域）を例示しているが、照明器具を配置した部屋はいくつ存在してもよいし、照明制御システム１０は、コントローラを何台備えてもよい。
【００１６】
照明器具３０ａ〜３０ｌは、光源を含み、点灯、消灯の切り替え等が可能な装置であり、例えば調光度（明るさ等）の変更が可能である。
【００１７】
コントローラ２００ａ〜２００ｃのそれぞれは、例えば制御回路、通信回路等で構成され、１台又は複数台の照明器具を制御可能であり、互いに別の無線ネットワーク（例えばＷｉＦｉ（登録商標）等の無線ＬＡＮ）に属する。コントローラ２００ａ〜２００ｃは、照明制御装置１００から制御用情報（照明制御のための各種パラメータ等）を受信するとその制御用情報を記憶し、その制御用情報に従って照明器具を制御する機能を有する。また、各コントローラが属する無線ネットワーク（無線ＬＡＮ）は、制御用情報の伝送等に用いられ得る。ここでは、コントローラ２００ａ〜２００ｃは、無線ＬＡＮのアクセスポイントとして機能するものとして説明する。無線通信においてコントローラ２００ａ〜２００ｃのそれぞれは、ＳＳＩＤ（Service Set Identifier）により識別される。図１の例では、コントローラ２００ａ（第１コントローラ）は、第１領域（部屋Ｘ）に配置された照明器具３０ａ〜３０ｄと接続（例えば有線接続）されており、照明器具３０ａ〜３０ｄを制御可能であって照明器具３０ａ〜３０ｄの状態を管理している。また、コントローラ２００ｂ（第２コントローラ）は、第２領域（部屋Ｙ）に配置された照明器具３０ｅ〜３０ｈと接続されており、照明器具３０ｅ〜３０ｈを制御可能であって照明器具３０ｅ〜３０ｈの状態を管理している。
【００１８】
照明制御装置１００は、いずれかのコントローラと通信することで、そのコントローラが制御可能な照明器具を、そのコントローラを介して制御するための操作用端末として機能する装置である。
【００１９】
［１−２．  照明制御装置１００の利用例］
第１領域（部屋Ｘ）と第２領域（部屋Ｙ）との照明器具の制御を行う場合を例として、照明制御装置１００による照明制御について説明する。
【００２０】
ユーザは、第１領域（部屋Ｘ）に所在する照明器具３０ａ〜３０ｄについて制御するためには、照明制御装置１００をコントローラ２００ａと無線接続させる。例えば、コントローラ２００ａは、管理している照明器具３０ａ〜３０ｄの状態（例えば点灯状態、調光度等の状態）を示す状態情報を、照明制御装置１００に送信する。そして、照明制御装置１００では受信した状態情報に基づいて照明器具３０ａ〜３０ｄの状態等を表して制御操作を受け付けるための照明制御用画面を表示する。ユーザの操作に応じて、照明制御装置１００は、制御用情報をコントローラ２００ａに送信する。これにより、コントローラ２００ａは、調光度等の制御内容、制御スケジュール等を示す制御用情報に従って照明器具３０ａ〜３０ｄを制御できるようになる。
【００２１】
次に、ユーザは、第２領域（部屋Ｙ）に所在する照明器具３０ｅ〜３０ｈについて制御するためには、照明制御装置１００をコントローラ２００ｂと無線接続させる。コントローラ２００ｂの無線通信可能範囲が狭い場合等においては、例えばユーザが照明制御装置１００を携帯して第２領域内に移動する等によって、照明制御装置１００とコントローラ２００ｂとの無線接続を行わせてもよい。例えば、照明制御装置１００は、コントローラ２００ｂから受信した状態情報に基づいて照明器具３０ｅ〜３０ｈの状態等を表して制御操作を受け付けるための照明制御用画面を表示し、ユーザの操作に応じて、制御用情報をコントローラ２００ｂに送信する。これにより、コントローラ２００ｂは、制御用情報に従って照明器具３０ｅ〜３０ｈを制御できるようになる。
【００２２】
［１−３．  照明制御装置１００の構成］
照明制御装置１００は、例えば、タブレット、スマートフォン等といったコンピュータであり、プロセッサ（マイクロプロセッサ）、メモリ、通信インタフェース（通信回路等）、ユーザインタフェース等を含む。また、このコンピュータは、ハードディスク装置等を備え得る。ユーザインタフェースは、例えば、ＬＣＤ（Liquid Crystal Display）等のディスプレイ、及び、キーボード、タッチパネル等の入力装置を含む。メモリは、ＲＯＭ、ＲＡＭ等であり、例えば不揮発性メモリを含んでいてもよい。プロセッサは、メモリに格納されたアプリケーションプログラム等といった制御プログラムを実行することにより、通信インタフェース、ディスプレイ等を制御する処理を行う。メモリには、プロセッサにその処理を実行させるための制御プログラムが格納されている。このコンピュータは、ユーザインタフェース等により、操作、入力等を受け付けることで例えば文字、音声その他の各種情報を取得し得る。
【００２３】
図２は、照明制御装置１００の機能ブロック図である。上述のハードウェア構成を備えるコンピュータとしての照明制御装置１００は、照明制御のための機能構成として、図２に示すように、記憶部１１０、設定部１２０、表示部１３０、受付部１４０、記録媒体１５０、保存部１６０、読込部１７０、通信部１８０、及び、処理部１９０を有する。以下、これらの各機能構成要素について説明する。
【００２４】
［１−３−１．  記憶部１１０］
記憶部１１０は、メモリ、ハードディスク等の記憶媒体の記憶領域により実現され、照明制御のために必要な各種情報を記憶する。記憶部１１０は、例えば、複数の無線ネットワークそれぞれについてのネットワーク識別子と、名称とを対応付けた対応情報１１１を記憶する。
【００２５】
図３は、記憶部１１０に記憶される対応情報１１１の一例を示す。対応情報１１１は、ネットワーク識別子（例えばＳＳＩＤ）と名称（例えばユーザが定めた部屋の名称）とを対応付けた情報である。ネットワーク識別子は、混線を回避して無線ネットワークと接続するために用いる情報である。図３の例では、アクセスポイントとしての各コントローラに接続するために用いられる各ＳＳＩＤに対して、ユーザが、コントローラで制御される照明器具が配置された部屋を識別するために定めた名称とが対応付けられている。
【００２６】
［１−３−２．  設定部１２０］
設定部１２０は、制御プログラムを実行するプロセッサ等で実現され、受付部１４０を介してユーザに入力された名称を取得することで、記憶部１１０に記憶される対応情報１１１を生成する。
【００２７】
具体例として、図３に例示する対応情報１１１を生成する場合について説明する。設定部１２０は、複数の無線ネットワークのうち第１領域（部屋Ｘ）に所在する照明器具３０ａ〜３０ｄを制御するコントローラ２００ａ（第１コントローラ）を含む第１無線ネットワークについての第１ネットワーク識別子に対応付ける名称としてユーザに入力された、第１領域に係る第１名称を取得する。第１ネットワーク識別子は、例えば、「ＡＡＡＡ１２・・・」という、コントローラ２００ａのＳＳＩＤである。第１名称は、例えば、「部屋Ｘ」である。また、設定部１２０は、第１領域とは異なる第２領域に所在する照明器具３０ｅ〜３０ｈを制御するコントローラ２００ｂ（第２コントローラ）を含む第２無線ネットワークについての第２ネットワーク識別子に対応付ける名称としてユーザに入力された、第２領域に係る第２名称を取得する。第２ネットワーク識別子は、例えば、「ＢＢＢＢＢ・・・」という、コントローラ２００ｂのＳＳＩＤである。第２名称は、例えば、「部屋Ｙ」である。そして、設定部１２０は、少なくとも第１ネットワーク識別子と第１名称とを対応付けること及び第２ネットワーク識別子と第２名称とを対応付けることにより、対応情報１１１の生成を行う。この場合において、第１名称（或いは第２名称）を取得する場合に、設定部１２０は、表示部１３０を介して、第１ネットワーク識別子（或いは第２ネットワーク識別子）をディスプレイに表示して、ユーザによる名称の入力を促すこととしてもよい。
【００２８】
設定部１２０は、対応情報１１１を生成した後において、新たに受付部１４０を介してユーザに入力された名称（部屋名等）を取得した場合には、対応情報１１１をその取得した名称に基づいて、更新してもよい。
【００２９】
［１−３−３．  表示部１３０］
表示部１３０は、ディスプレイ、制御プログラムを実行するプロセッサ等で実現され、ディスプレイに各種の画面表示を行う。表示部１３０は、例えば、通信部１８０によりコントローラ２００ａ〜２００ｃのいずれかから受信された状態情報（照明器具の状態を示す情報）を表示する照明制御用画面を表示する。表示部１３０は、例えば他の各部（保存部１６０、読込部１７０、処理部１９０等）の制御を受けて表示を行うこととしてもよい。
【００３０】
図４に、表示部１３０によりディスプレイに表示される照明制御用画面の一例を示す。図４に例示する照明制御用画面４０は、照明器具の点灯状態、配置等を示す表示領域４４を含み、ＧＵＩ（Graphical User Interface）としてのボタン４１〜４３を含む。表示領域４４は、図４の例では、部屋Ｘにおける照明器具３０ａ〜３０ｄ等についての状態を示している。表示領域４４の内容は、ユーザ操作によって変更できるようにしてもよい。ボタン４１は、照明器具を制御するための制御用情報等といったデータの管理を行う機能（データ読込、データ保存等）を行う機能の実行のためのボタンである。ボタン４２は、照明制御装置１００が接続する無線ネットワークを切り替える機能の実行のためのボタンである。ボタン４３は、照明制御装置１００が接続する各無線ネットワークに関連する各種設定に係る機能の実行のためのボタンである。
【００３１】
図４では、照明制御用画面４０の他に、ボタン４２がユーザに押下された場合にポップアップ表示されるウィンドウ（画面４２ａ）を付記している。画面４２ａは、各ＳＳＩＤに対応付けた部屋名を選択肢として表示しており、ＧＵＩとしてのキャンセルボタンと変更ボタン４２ｂとを含んでいる。ユーザは、画面４２ａにおけるＧＵＩとしてのラジオボタンの操作等によって選択肢のうち１つを選択して、変更ボタン４２ｂを押下することで、照明制御装置１００が接続すべき無線ネットワークを指定できる。無線ネットワークの切り替えは、例えば処理部１９０等により行われる。表示部１３０による、画面４２ａの選択肢の表示は、記憶部１１０に記憶された対応情報１１１に基づく。このように、表示部１３０は、ユーザに、無線接続する無線ネットワークのネットワーク識別子（ＳＳＩＤ等）を選択させる必要がある場合において、記憶部１１０に記憶された対応情報１１１における複数の名称（例えば部屋名等）を選択肢として表示する。この選択肢の表示は、ユーザ操作を受けて行ってもよいし、何らかのイベントの発生（例えば予め設定した時刻の到来等）と連動して行ってもよい。なお、図４の照明制御用画面４０及び画面４２ａは一例に過ぎず、名称の選択肢の表示に、ネットワーク識別子を付記して表示してもよいし、付記せずに表示してもよい。また、無線ネットワークの切り替え操作を即座に受け付けられるように対応情報１１１における複数の名称（例えば部屋名等）の選択肢を照明制御用画面４０内に常時表示していてもよい。
【００３２】
［１−３−４．  受付部１４０］
受付部１４０は、入力装置、制御プログラムを実行するプロセッサ等で実現され、ユーザ操作を受け付ける。入力装置は、例えばディスプレイの表面に重ねられたタッチパネル、キーボード等である。ユーザ操作は、例えば、表示部１３０が表示したＧＵＩの要素等に対応して入力装置への入力として行われ得る。なお、受付部１４０は、いかなる方法でユーザ操作を受け付けてもよい。例えば受付部１４０は、ユーザ操作としての入力を、タッチパネルへのタッチの他に、ポインティングデバイスの操作、キーボードの操作等を受け付けることで行ってもよいし、音声認識技術を用いて音声入力を受け付けることとしてもよい。ユーザは、照明器具を制御するために様々な情報を入力し得る。例えば、ユーザは、ある部屋に配置されている各照明器具について、位置を示す情報を入力し得るし、調光度を指定する調光度情報、点灯及び消灯或いは調光度の変更の時間を示すスケジュール情報等を入力し得る。例えば、図４の照明制御用画面４０に対応してユーザは各種情報の入力を行い得る。ユーザに入力された、ある領域（部屋等）の照明器具を制御するための情報は予め定められたデータ形式の制御用情報に変換されてメモリ等の記憶領域に一時的に記憶される。そして、その制御用情報は、ユーザ操作等に応じて、通信部１８０を介して該当のコントローラ（コントローラ２００ａ〜２００ｃのいずれか等）に伝送され得る。
【００３３】
受付部１４０は、具体的には、図４の画面４２ａ等のように複数の名称（部屋名等）の選択肢が表示された場合において、１つの名称の選択操作を含むユーザ操作を受け付ける。
【００３４】
受付部１４０は、ユーザ操作を受け付けると、操作に応じた情報（例えば選択操作により選択された名称に係る情報等）を、保存部１６０、読込部１７０、処理部１９０等に通知する。
【００３５】
［１−３−５．  記録媒体１５０］
記録媒体１５０は、照明器具の制御に係る制御用情報を記録するための媒体であり、例えば不揮発性メモリ、ハードディスク等である。記録媒体１５０は、記憶部１１０における記憶媒体と同一の媒体であってもよいし、異なる媒体であってもよい。ファイルシステムにより、記録媒体１５０において制御用情報は、制御用ファイルの内容として記録され得る。制御用ファイルは、照明制御装置１００において照明を制御するための制御用情報を保存する、予め定められた形式のファイルである。制御用ファイルに、制御用情報以外に、照明器具の配置情報、制御の実行の履歴情報等といった照明に関する各種情報を含ませてもよい。
【００３６】
［１−３−６．  保存部１６０］
保存部１６０は、制御プログラムを実行するプロセッサ等で実現される。保存部１６０は、受付部１４０からユーザによる保存操作が受け付けられたことが通知されると、その保存操作に応じて、制御用情報を含む制御用ファイルを記録媒体１５０に記録する。
【００３７】
保存部１６０は、通信部１８０が１つの無線ネットワークと接続中の場合において、一定条件下で（例えばユーザ操作等に応じて）、記録媒体１５０への制御用ファイルの記録に際して、制御用ファイルとその接続している無線ネットワークについてのネットワーク識別子とを関連付ける機能を有する。また、保存部１６０は、記録媒体１５０への制御用ファイルの記録に際して、処理部１９０と連携して、制御用ファイルと対応情報１１１（図３参照）におけるいずれかのネットワーク識別子とを関連付ける機能を有する。
【００３８】
ここで、照明制御装置１００が、部屋Ｘの照明器具を制御するコントローラ２００ａの無線ネットワークに接続して、図５に示す照明制御用画面４０が表示されているとして説明する。この場合にユーザは、部屋Ｘに配置されている各照明器具の制御のために調光度情報、スケジュール情報等に係る入力を行い、必要に応じて保存操作を行う。保存操作がなされると、保存部１６０は、その調光度情報、スケジュール情報等を含む制御用情報を、制御用ファイルとして記録媒体１５０に記録（保存）する。ユーザは、保存操作として、まず、例えば照明制御用画面４０のボタン４１を押下し、この操作に対応して表示部１３０が表示するデータ管理画面４１ａにおけるデータ読込ボタン４５とデータ保存ボタン４６のうち、データ保存ボタン４６を押下する。この操作に対応して表示部１３０が表示する制御用ファイルの指定のための画面４６ａに対してユーザは、制御用ファイルのファイル名の指定及び制御用ファイルと関連付けるネットワーク識別子（例えばＳＳＩＤ）の指定を行うことができる。それからユーザが画面４６ａにおける保存ボタン４６ｄを押下すると保存操作が完了し、受付部１４０から保存操作の通知を受けて、保存部１６０は、制御用情報を制御用ファイルにして保存する。ユーザは、画面４６ａにおける入力フィールド４６ｂに入力を行うことで制御ファイルのファイル名を指定し得る。ユーザは、画面４６ａでのＧＵＩとしてのラジオボタンの操作等によって、照明制御装置１００（具体的には通信部１８０）が接続中の無線ネットワークのネットワーク識別子としてのＳＳＩＤか、それとは別のネットワーク識別子を、制御用ファイルに関連付けることができる。その別のネットワーク識別子を関連付けたい場合には、ユーザは、ドロップダウンリスト４６ｃを操作することで、名称と対応付けられたＳＳＩＤの選択肢の一覧を表示させて、関連付けるべきＳＳＩＤを選択することができる。
【００３９】
［１−３−７．  読込部１７０］
読込部１７０は、制御プログラムを実行するプロセッサ等で実現される。読込部１７０は、受付部１４０からユーザによる読込操作が受け付けられたことが通知されると、その読込操作に応じて記録媒体１５０に記録（保存）された１つの制御用ファイルを読み込む。制御用ファイルを読み込むことは、例えば、制御用ファイルの内容である制御用情報を、メモリ等の記憶領域に一時的に記憶させること、或いは、その制御用情報に対応して、図４に示す照明制御用画面４０の表示要素（例えば表示領域４４等の内容）を更新すること等で実現される。
【００４０】
読込部１７０は、ユーザによる読込操作に応じて、表示部１３０に、記録媒体１５０に記録された１つ以上の制御用ファイルを選択肢として表示させ、ユーザによる１つの制御用ファイルの選択操作を受け付けた場合にその選択操作に係る制御用ファイルを読み込む機能を有する。また、読込部１７０は、通信部１８０が無線ネットワークに接続中の場合には一定条件下で（例えばユーザ操作等に応じて）、表示部１３０に、接続中の無線ネットワークに係るＳＳＩＤ等と関連付けられた制御用ファイルに絞り込ませて、選択肢の表示を行わせる。
【００４１】
ここで、照明制御装置１００が、部屋Ｘの照明器具を制御するコントローラ２００ａの無線ネットワークに接続して、図５に示す照明制御用画面４０が表示されているとして説明する。ユーザは、読込操作として、例えば照明制御用画面４０のボタン４１を押下し、この操作に対応して表示部１３０が表示するデータ管理画面４１ａにおけるデータ読込ボタン４５とデータ保存ボタン４６のうち、データ読込ボタン４５を押下する。この操作に対応して、例えば読込部１７０の制御下等で表示部１３０が表示する、読み込むべき制御用ファイルの選択のための画面４５ａを図６に示す。図６の画面４５ａに対してユーザは、読み込むべき制御用ファイルのファイル名の選択操作を行うことができる。画面４５ａは、ＧＵＩとしてのチェックボックス４５ｂと、記録媒体１５０に記録されている制御用ファイルのファイル名を一覧表示するファイルリスト４５ｃと、キャンセルボタンと、読込ボタン４５ｄとを含む。ユーザが、チェックボックス４５ｂをチェックすると、ファイルリスト４５ｃの内容が、照明制御装置１００が接続中の無線ネットワークのネットワーク識別子としてのＳＳＩＤに関連付けられて記録されている制御用ファイルのファイル名のみに絞り込まれる。これにより、ユーザは、読み込むべき制御用ファイルの選択を容易に行える。ユーザが画面４５ａにおける読込ボタン４５ｄを押下すると、受付部１４０から読込操作の通知を受けて、読込部１７０は、選択された制御用ファイルを読み込む。
【００４２】
［１−３−８．  通信部１８０］
通信部１８０は、通信インタフェース、制御プログラムを実行するプロセッサ等で実現される。通信部１８０は、複数の無線ネットワークのうちの１つの無線ネットワークと接続して、その無線ネットワークに含まれるコントローラと情報の授受を行う。具体例としては、通信部１８０は、対応情報１１１（図３参照）におけるいずれかのＳＳＩＤを用いて、コントローラ２００ａ〜２００ｃのいずれかと接続して、その接続したコントローラと通信する。
【００４３】
通信部１８０は、例えば、コントローラ２００ａのＳＳＩＤを用いてコントローラ２００ａと接続し、コントローラ２００ａが制御する照明器具３０ａ〜３０ｄ等の状態を示す状態情報を受信する。また、通信部１８０は、一定条件下で（例えばユーザ操作等に応じて）、制御用情報をコントローラ２００ａに送信する。詳細には、通信部１８０は、例えばアクセスポイントとしてのコントローラ２００ａのＳＳＩＤを用いてプローブ要求を送信してプローブ応答を受信し、アソシエーション要求を送信して許可を示すアソシエーション応答を受信する等の所定手順を行うことで無線接続する。通信部１８０は、無線接続したコントローラ２００ａとの間で、例えば、暗号化した情報（制御用情報、状態情報等）を授受する。
【００４４】
また、通信部１８０は、読込部１７０が読み込んだ制御用ファイルにネットワーク識別子（例えばＳＳＩＤ）が関連付けられている場合には、そのネットワーク識別子を用いて無線ネットワークに接続する。そして、通信部１８０は、接続した無線ネットワークに含まれるコントローラに、その制御用ファイルに含まれる制御用情報を送信する。例えば、保存部１６０によってユーザ操作に応じて「ファイル１＿部屋Ｘ」というファイル名の制御用ファイルと、コントローラ２００ａのＳＳＩＤとが関連付けられて記録媒体１５０に記録されていたとする。この場合に、ユーザによって図６に示す画面４５ａにおける「ファイル１＿部屋Ｘ」という制御用ファイルが選択されて読込ボタン４５ｄが押下された場合に、読込部１７０がその制御用ファイルを読み込む。この読み込みの際に、通信部１８０ではその制御用ファイルに記録媒体１５０で関連付けられていたＳＳＩＤを用いてコントローラ２００ａとの無線接続を行うことで、制御用ファイルにおける制御用情報をコントローラ２００ａに送信する。
【００４５】
［１−３−９．  処理部１９０］
処理部１９０は、制御プログラムを実行するプロセッサ等で実現される。処理部１９０は、受付部１４０により、対応情報１１１における複数の名称から１つの名称の選択操作が受け付けられた場合に、その選択操作に係る名称（選択された名称）に対応情報１１１で対応付けられているネットワーク識別子を用いて無線ネットワークとの接続に関連する所定処理を実行する。所定処理は、ネットワーク識別子（例えばＳＳＩＤ）を利用する処理である。
【００４６】
具体的には、処理部１９０は、通信部１８０がいずれかのコントローラから受信した状態情報に基づいて表示部１３０が図４に示す照明制御用画面４０を表示している場合において、受付部１４０がユーザによる名称（例えばＳＳＩＤが付記された名称）の選択操作を受け付けたときには、所定処理として、その選択操作に係る名称に対応するネットワーク識別子（ＳＳＩＤ）を用いて無線ネットワークの接続の切り替えを行う。ここで、通信部１８０がコントローラ２００ａ（第１コントローラ）のＳＳＩＤ（第１ネットワーク識別子）を用いてコントローラ２００ａの無線ネットワーク（第１無線ネットワーク）に接続しているとして説明する。この第１ネットワーク識別子は、対応情報１１１において第１領域の第１名称（例えば部屋Ｘ）と対応付けられている。そして、通信部１８０がコントローラ２００ａ（第１コントローラ）から受信した状態情報に基づいて表示部１３０が照明制御用画面４０を表示しており、画面４２ａがポップアップ表示されている場合等において、受付部１４０が第２名称（例えば部屋Ｙ）の選択操作を受け付けたときには、処理部１９０は、コントローラ２００ｂのＳＳＩＤ（第２ネットワーク識別子）を用いて、通信部１８０に第１無線ネットワークから、コントローラ２００ｂを含む第２無線ネットワークへ接続を切り替えさせることを、所定処理として実行する。
【００４７】
また、処理部１９０は、記録媒体１５０に記録された制御用ファイルに対して、受付部１４０により受け付けられた選択操作に係る名称に対応情報１１１で対応付けられているネットワーク識別子（例えばＳＳＩＤ）を関連付けることを、所定処理として実行し得る。例えば、保存部１６０が、ユーザの保存操作に対応して、制御用ファイルを記録（保存）しようとする際に、処理部１９０は、受付部１４０から、例えば、制御用ファイルのファイル名と、ユーザの選択操作に係る名称との通知を受ける。そして、処理部１９０は、その名称から対応情報１１１に基づいて関連付けるべきネットワーク識別子（ＳＳＩＤ）を特定し、保存部１６０による制御用ファイルの記録に際して制御用ファイルとそのネットワーク識別子とを関連付けて記録媒体１５０に記録する。処理部１９０は、制御用ファイルの保存の際以外においても、記録媒体１５０に記録された制御用ファイルに対して、ユーザ操作に応じて、ＳＳＩＤの関連付けを行えるようにしてもよい。図７は、図４に示す照明制御用画面４０におけるボタン４３が押下された場合に表示部１３０により表示されるネットワーク設定に係る画面４３ａ等を示す。ボタン４３が押下された場合に表示される画面４３ａにおいては、設定部１２０で生成されて記憶部１１０に記憶されている対応情報１１１の内容に基づいて、ＳＳＩＤと名称とが表示される。画面４３ａにおける変更ボタン４３ｃがユーザに押下されると、名称変更用の画面が表示され、この画面に対応してユーザは名称を入力し得る。また、画面４３ａにおけるタブ４３ｄがユーザに選択されると、画面４３ａが画面４３ｂへと遷移する。画面４３ｂにおいて、図５と同様のドロップダウンリスト４６ｃを操作することで、ユーザは、名称と対応付けられたＳＳＩＤの選択肢の一覧を表示させて、各制御用ファイルに関連付けるべきＳＳＩＤの選択（名称の選択）を行うことができる。処理部１９０は、この選択操作に対応して、制御用ファイルに関連付けるべきＳＳＩＤを特定して、記録媒体１５０において制御用ファイルとＳＳＩＤとを関連付ける。
【００４８】
［１−４．  照明制御システム１０の動作］
以下、上述の構成を備える照明制御システム１０の動作について、照明制御装置１００を中心として説明する。
【００４９】
図８は、本実施の形態に係る照明制御装置１００による照明制御処理の一例を示すフローチャートである。この照明制御処理は、照明制御システム１０における照明制御のための方法の一具体例である。以下、同図に即して説明する。
【００５０】
照明制御装置１００は、受付部１４０によりユーザ入力を受け付けることで、各無線ネットワークに対応するコントローラのＳＳＩＤに対応付ける名称（部屋名等）を取得する（ステップＳ１１）。例えば、照明制御装置１００は、第１領域（部屋Ｘ）に所在する照明器具を制御するコントローラ２００ａ（第１コントローラ）を含む第１無線ネットワークについてのＳＳＩＤ（第１ネットワーク識別子）に対応付ける名称としてユーザに入力された第１名称（例えば「部屋Ｘ」）を取得する。また、照明制御装置１００は、第２領域（部屋Ｙ）に所在する照明器具を制御するコントローラ２００ｂ（第２コントローラ）を含む第２無線ネットワークについてのＳＳＩＤ（第２ネットワーク識別子）に対応付ける名称としてユーザに入力された第２名称（例えば「部屋Ｙ」）を取得する。
【００５１】
続いて、照明制御装置１００は、各ＳＳＩＤと名称（部屋名等）とを対応付けた対応情報１１１を生成して記憶する（ステップＳ１２）。つまり、照明制御装置１００は、第１ネットワーク識別子と第１名称とを対応付け、第２ネットワーク識別子と第２名称とを対応付けた対応情報１１１を生成して記憶部１１０に記憶させる。対応情報１１１には、例えば、他のネットワーク識別子（例えばコントローラ２００ｃのＳＳＩＤ）と名称（例えば部屋Ｚ）とを対応付けた情報を含ませ得る。このように生成された対応情報１１１は、ＳＳＩＤを選択する場合において名称の選択肢を表示するために利用される。ユーザにとっては、ネットワーク識別子（ＳＳＩＤ等）について名称（部屋名等）を一度設定しておけば、それ以後は、名称を選択するだけで、ネットワーク識別子を記憶しなくても、照明制御装置１００に接続先の切り替え等を実行させることができるようになる。
【００５２】
照明制御装置１００は、ＳＳＩＤの選択を要する所定操作を受けた場合には（ステップＳ１３）、ステップＳ１４〜Ｓ１６での処理を行う。所定操作は、例えば、図４に示す接続ネットワーク変更用のボタン４２の操作、図５に示すデータ保存対象の制御用ファイルの指定用の画面４６ａにおけるドロップダウンリスト４６ｃの操作等である。所定操作を受けると、照明制御装置１００は、ステップＳ１４で、対応情報１１１における各ＳＳＩＤに対応する名称を選択肢として表示し、ステップＳ１５でユーザによる名称の選択肢のうちの１つの選択操作を受け付ける。続いて、照明制御装置１００は、ステップＳ１６で、所定操作に対応した所定処理を、選択操作に係る名称（選択された名称）に対応情報１１１で対応付けられているＳＳＩＤを用いて実行する。即ち、所定操作が接続ネットワーク変更用のボタン４２の操作であれば、照明制御装置１００は、ステップＳ１６で、そのＳＳＩＤを用いて無線ネットワークへの接続を行う。また、所定操作が、制御用ファイルの指定用の画面４６ａにおけるドロップダウンリスト４６ｃの操作であれば、照明制御装置１００は、ステップＳ１６で、そのＳＳＩＤを制御用ファイルと関連付けて記録媒体１５０に記録する。
【００５３】
また、照明制御装置１００は、制御用情報の送信のために予め定められたユーザ操作を受けた場合には（ステップＳ１７）、接続中の無線ネットワークのコントローラ（コントローラ２００ａ〜２００ｃのいずれか）に対して照明器具を制御するための制御用情報を送信する（ステップＳ１８）。これにより、そのコントローラにより照明器具が制御され得る。
【００５４】
また、照明制御装置１００は、ユーザからＳＳＩＤが関連付けられた制御用ファイルの読込操作を受け付けた場合には（ステップＳ１９）、そのＳＳＩＤを用いてコントローラと接続し（ステップＳ２０）、コントローラに対して制御用情報を送信する（ステップＳ２１）。
【００５５】
照明制御装置１００は、ステップＳ１３〜Ｓ２１を含む処理を繰り返し実行し得る。このような照明制御処理により、複数の無線ネットワークそれぞれのコントローラを介して各領域（各部屋等）に配置された照明器具を制御する場合のユーザの負担は軽減され得る。なお、図８の照明制御処理は、一例に過ぎず、照明制御装置１００は、図８の各ステップで示した処理以外の処理を実行してもよい。
【００５６】
（実施の形態２）
以下、実施の形態１で示した照明制御システム１０における照明制御装置１００の一部を変形した実施の形態について説明する。
【００５７】
［２−１．  照明制御システム１０の変形態様及び利用例］
実施の形態１における照明制御装置１００は、ユーザ認証（ユーザの認証）を行うものであってもよいし、行わないものであってもよい。これに対して、本実施の形態に係る照明制御装置は、ユーザ認証を行い、ユーザ認証に成功した場合に限って、照明器具の制御を行うための機能を実行し得る。本実施の形態に係る照明制御システムは、照明制御装置１００を変形してなる照明制御装置１００ａを備える点以外においては、図１に示した照明制御システム１０と同様であるので図１と同様の符号を用いて説明する。
【００５８】
本実施の形態では、図１の第１領域（部屋Ｘ）と第２領域（部屋Ｙ）と第３領域（部屋Ｚ）とは、１つのビルにおける、個々のテナント（事務所、店舗等）の占有領域であるものとして説明する。ビルの管理者等であるユーザ（特定ユーザと称する）と、各テナントそれぞれに所属する人員等であるユーザとは、互いに別の時間に同じ照明制御装置１００ａを利用する。照明制御装置１００ａは、例えば、あるテナントに所属するユーザに、そのテナントとは異なるテナントの領域における照明器具の制御をさせないようにする等のためにユーザ認証を行う。
【００５９】
ビルの管理者等である特定ユーザは、ユーザ毎にユーザの認証に用いる認証情報を設定するための所定権限を有する。照明制御装置１００ａは、所定権限を有する特定ユーザをいかなる方法で認証してもよい。特定ユーザは、照明制御装置１００ａに対して、ユーザ毎に認証情報（例えばログインＩＤ及びパスワード等）を設定（入力等）し、照明制御装置１００ａに認証情報を記憶させることができる。また、照明制御装置１００ａに対する特定ユーザの操作によって、認証情報には、認証されたユーザがアクセス可能な無線ネットワークのネットワーク識別子（例えば無線ネットワークに含まれるコントローラのＳＳＩＤ）が関連付けられる。
【００６０】
［２−２．  照明制御装置１００ａの構成］
照明制御装置１００ａは、ハードウェア構成については照明制御装置１００と同様であり、機能面において照明制御装置１００と一部異なる。
【００６１】
図９は、照明制御装置１００ａの機能ブロック図である。照明制御装置１００ａは、図９に示すように、記憶部１１０ａ、設定部１２０、表示部１３０、受付部１４０、記録媒体１５０、保存部１６０、読込部１７０、通信部１８０ａ、処理部１９０ａ、及び、認証部１９５を有する。照明制御装置１００ａにおいて、実施の形態１で図２に示した照明制御装置１００と同様の構成については、図２と同じ符号を付している。ここで特に説明しない点については、照明制御装置１００ａは、照明制御装置１００と同様である。
【００６２】
［２−２−１．  記憶部１１０ａ］
記憶部１１０ａは、実施の形態１で示した記憶部１１０と同様に、メモリ、ハードディスク等の記憶媒体の記憶領域により実現され、照明制御のために必要な各種情報を記憶する。記憶部１１０ａは、例えば、対応情報１１１と認証関連情報１１２とを記憶する。
【００６３】
図１０は、記憶部１１０ａに記憶される認証関連情報１１２の一例を示す。認証関連情報１１２は、ユーザ毎の認証情報（ログインＩＤ及びパスワード）とネットワーク識別子（ＳＳＩＤ）とを対応付けた情報である。認証関連情報１１２は、特定ユーザによる認証情報の設定により生成されて記憶される。図１０の例では、例えば、図１に示す第１領域（部屋Ｘ）のテナントの人員等であるユーザのログインＩＤ（ＵｓｅｒＸ）等と、コントローラ２００ａのＳＳＩＤとが関連付けられている。また、第２領域（部屋Ｙ）のテナントの人員等であるユーザのログインＩＤ（ＵｓｅｒＹ）等と、コントローラ２００ｂのＳＳＩＤとが関連付けられている。即ち、認証関連情報１１２は、ユーザ毎の認証情報に対して、対応情報１１１（図３参照）におけるいずれかのネットワーク識別子（ＳＳＩＤ）を対応付けた情報である。このため、特定ユーザは、照明制御装置１００ａに認証関連情報１１２を記憶させる権限（所定権限）を有するユーザである。
【００６４】
［２−２−２．  認証部１９５］
認証部１９５は、制御プログラムを実行するプロセッサ等で実現される。認証部１９５は、記憶部１１０ａに記憶されている認証関連情報１１２における認証情報を用いてユーザを認証する。
【００６５】
図１１は、照明制御装置１００において表示部１３０に表示されるユーザ認証用画面の一例を示す。同図に示すユーザ認証用画面５０は、ＧＵＩとしての入力フィールド５１、５２、及び、ログインボタン５３を含む。入力フィールド５１は、ユーザのログインＩＤの入力を受け付けるためのフィールドであり、入力フィールド５２は、ユーザのパスワードの入力を受け付けるためのフィールドである。例えば、ログインボタン５３が押下されると受付部１４０が、入力フィールド５１、５２の内容であるログインＩＤ及びパスワードを認証部１９５に通知する。
【００６６】
照明制御装置１００ａは、表示部１３０により最初にユーザ認証用画面を表示し、認証部１９５により受付部１４０を介してユーザから入力されたログインＩＤ及びパスワードを取得して、認証関連情報１１２における各認証情報と照合することでユーザ認証を行う。認証に成功した場合（ユーザから取得した情報が認証関連情報１１２における１つの認証情報と一致した場合）に限って、照明制御装置１００ａは、照明制御に係るユーザ操作を受け付ける。
【００６７】
［２−２−３．  通信部１８０ａ］
通信部１８０ａは、実施の形態１で示した通信部１８０と同様に、通信インタフェース、制御プログラムを実行するプロセッサ等で実現され、複数の無線ネットワークのうちの１つの無線ネットワークと接続して、その無線ネットワークに含まれるコントローラと情報の授受を行う。
【００６８】
通信部１８０ａは、認証部１９５がユーザ認証に成功した場合には、その成功したユーザ認証に用いられた認証関連情報１１２における認証情報に関連付けられているネットワーク識別子（ＳＳＩＤ）を用いて無線ネットワークに接続する。例えば、部屋Ｘのテナントの人員等であるユーザからＵｓｅｒＸというログインＩＤ等の入力を受けることで認証部１９５におけるユーザ認証が成功した場合に、通信部１８０ａは、コントローラ２００ａのＳＳＩＤを用いて無線接続を行う。これにより、ユーザは、照明制御装置１００ａが接続する無線ネットワークを別途指定する必要がなくなる。即ち、ユーザは、ログインＩＤ等の認証情報の入力だけで、照明制御装置１００ａを、そのユーザに対応する領域内の照明を制御するコントローラの無線ネットワークと接続させることができる。部屋Ｘのテナントの人員等であるユーザからＵｓｅｒＸというログインＩＤ等の入力を受けることで認証部１９５でユーザ認証が成功した場合に、一定条件下で（例えばユーザ操作等に応じて）、通信部１８０ａは、コントローラ２００ａに制御用情報を送信する。
【００６９】
［２−２−４．  処理部１９０ａ］
処理部１９０ａは、実施の形態１で示した処理部１９０と同様に、制御プログラムを実行するプロセッサ等で実現される。処理部１９０ａは、受付部１４０により対応情報１１１における複数の名称から１つの名称の選択操作が受け付けられた場合に、選択された名称に対応情報１１１で対応付けられているネットワーク識別子を用いて無線ネットワークとの接続に関連する所定処理を実行する。
【００７０】
照明制御装置１００ａは、表示部１３０により、特定ユーザが各ユーザの認証に用いる認証情報を設定するための画面（認証情報設定画面）を表示して、受付部１４０で認証情報を設定するための特定ユーザによるユーザ操作を受け付ける認証情報設定機能を有する。この認証情報設定機能で表示される認証情報設定画面の一例を図１２に示す。図１２に示す認証情報設定画面５５は、認証情報としてのログインＩＤ及びパスワードそれぞれの入力フィールドと、ドロップダウンリスト５６とを含む。ドロップダウンリスト５６が選択されると、対応情報１１１における名称（部屋名等）が選択肢として表示される。
【００７１】
処理部１９０ａは、特定ユーザによる名称の選択操作が受付部１４０により受け付けられた後に、受付部１４０により受け付けられた選択操作に係る名称に、対応情報１１１で対応付けられているＳＳＩＤを用いて認証情報とＳＳＩＤとを関連付けて記憶部１１０ａに認証関連情報１１２の内容として記憶させることを、所定処理として実行する。照明制御装置１００ａは、例えば、認証関連情報１１２が記憶部１１０ａに記憶された後において、特定ユーザの操作に応じて認証情報設定画面を表示し、入力を受け付けることで、認証関連情報１１２の更新を行うこととしてもよい。
【００７２】
［２−３．  照明制御装置１００ａの動作］
図１３は、本実施の形態に係る照明制御装置１００ａによる照明制御処理の一例を示すフローチャートである。以下、同図に即して照明制御装置１００ａの動作について説明する。ここでは、特定ユーザが、照明制御装置１００ａを用いて、図１の各領域のコントローラ２００ａ〜２００ｃのＳＳＩＤについて名称（部屋名等）を設定し、ユーザ毎に認証情報（ログインＩＤ及びパスワード）等を設定する例を用いて、説明する。例えば、特定ユーザは、複数のテナントが占める領域を有するビルの管理者等であり、他のユーザは、各テナントの人員等である。
【００７３】
照明制御装置１００ａは、所定権限を有する特定ユーザがログイン操作をした場合に予め定めた方法で特定ユーザを認証する（ステップＳ３１）。
【００７４】
特定ユーザの認証が成功すると、照明制御装置１００ａは、受付部１４０により特定ユーザによる入力を受け付けることで、各無線ネットワークに対応するコントローラのＳＳＩＤに対応付ける名称（部屋名等）を取得する（ステップＳ３２）。続いて、照明制御装置１００ａは、各ＳＳＩＤと名称（部屋名等）とを対応付けた対応情報１１１を生成して記憶する（ステップＳ３３）。ステップＳ３２及びＳ３３は、実施の形態１で示したステップＳ１１及びＳ１２と同様である。
【００７５】
次に照明制御装置１００ａは、表示部１３０により、認証情報設定画面５５を表示する（ステップＳ３４）。この認証情報設定画面５５に対して、ビルの管理者等といった特定ユーザが、各テナントの人員等である各ユーザについての認証情報を入力することになる。特定ユーザが、ドロップダウンリスト５６の操作（選択）を行うと（ステップＳ３５）、照明制御装置１００ａは、図１２に示すように、対応情報１１１における名称（部屋名等）を選択肢として表示する（ステップＳ３６）。続いて、照明制御装置１００ａは、受付部１４０により、特定ユーザによる名称の選択肢のうちの１つの選択操作を受け付ける（ステップＳ３７）。そして、照明制御装置１００ａは、選択された名称に対応情報１１１で対応付けられているＳＳＩＤを用いて、特定ユーザに入力された認証情報とＳＳＩＤとを関連付けて記憶する（ステップＳ３８）。図１３では一部省略しているが、特定ユーザは、複数のユーザそれぞれについて認証情報を入力して、ドロップダウンリスト５６により名称を選択できる。この結果として、記憶部１１０ａに図１０に例示するような認証関連情報１１２が記憶されることになる。
【００７６】
以上のように特定ユーザによる設定がなされ、対応情報１１１と認証関連情報１１２とが記憶部１１０ａに記憶された状態で、以下に示すステップＳ３９以降の処理が実行される。
【００７７】
照明制御装置１００ａは、ユーザによるログイン操作を受け付けると（ステップＳ３９）、認証部１９５により、認証関連情報１１２における認証情報を用いてユーザ認証を行う（ステップＳ４０）。ユーザ認証に失敗すると、照明制御装置１００ａは、ログイン操作の受け付け待ち状態（ステップＳ３９）に戻る。
【００７８】
ステップＳ４０でのユーザ認証に成功すると（ステップＳ４１）、成功したユーザ認証に用いられた認証情報と認証関連情報１１２において関連付けられているＳＳＩＤを用いて、無線ネットワーク（コントローラ）に接続する（ステップＳ４２）。これにより、例えば、図１の部屋Ｘのテナントの人員であるユーザからＵｓｅｒＸというログインＩＤ等の入力を受けてユーザ認証が成功した場合に、通信部１８０ａが、コントローラ２００ａと接続して通信可能状態になる。
【００７９】
また、照明制御装置１００ａは、制御用情報の送信のために予め定められたユーザ操作を受けた場合には（ステップＳ４３）、接続中の無線ネットワークのコントローラ（例えばコントローラ２００ａ）に対して照明器具を制御するための制御用情報を送信する（ステップＳ４４）。これにより、コントローラ２００ａにより部屋Ｘの照明器具３０ａ〜３０ｄ等が制御され得る。なお、図１３では省略しているが、照明制御装置１００ａは、例えば、コントローラ２００ａから状態情報等を受信して、照明制御用画面４０（図４参照）等を表示し得る。照明制御装置１００ａにおいては、認証されたユーザに係る認証情報に認証関連情報１１２で関連付けられているＳＳＩＤ以外のＳＳＩＤを用いた無線ネットワークへの接続（つまり接続先の変更）をしないこととしてもよい。また、照明制御装置１００ａにおいて、例えば一定条件下で接続先の変更を行うこととしてもよい。
【００８０】
また、照明制御装置１００ａは、ユーザからログアウト操作を受け付けると、ログイン操作の受け付け待ち状態（ステップＳ３９）に戻る。
【００８１】
このような照明制御処理により、ユーザがログイン操作をするだけで、照明制御装置１００ａが、そのユーザに制御が許容される照明器具を制御するための無線ネットワークと接続されるので、ユーザの負担が軽減され得る。なお、図１３の照明制御処理は、一例に過ぎず、照明制御装置１００ａは、図１３の各ステップで示した処理以外の処理を実行してもよい。
【００８２】
（他の実施の形態等）
以上、実施の形態１、２により照明制御システム１０等について説明したが、上述した実施の形態は一例に過ぎず、各種の変更、付加、省略等が可能であることは言う迄もない。
【００８３】
上記実施の形態では、照明制御システム１０が、ビルに適用された例を示したが、ビル以外の建築物（例えば、戸建住宅、駅舎、競技場、ホール等）に適用されてもよい。また、図１に示した第１領域、第２領域等の照明器具が配置された各空間的領域は、必ずしもフロア、部屋等で区別されなくてもよく、１つの部屋内に複数の空間的領域が存在してもよい。
【００８４】
また、上記実施の形態２では、特定ユーザが、所属するテナントが異なるユーザ毎に、ユーザ認証用の認証情報を設定する例を示したが、テナントは一例に過ぎず、単にユーザ毎にそのユーザの認証情報といずれか１つのコントローラのＳＳＩＤ等といったネットワーク識別子を関連付けることとしてもよい。また、同一ユーザが、複数のログインＩＤ等を有することとしてもよく、認証関連情報１１２において、同一ユーザの各ログインＩＤ等の各認証情報が、別個のネットワーク識別子と関連付けられるようにしてもよい。
【００８５】
また、上記実施の形態では、コントローラ２００ａ等が、無線ネットワーク（無線ＬＡＮ）のアクセスポイントとして機能する例を示した。しかし、コントローラ２００ａ等は無線ネットワークに含まれる装置であればよく、自ら無線通信機能を有さなくてもよい。ここで、無線ネットワークに含まれる装置は、無線ネットワークのアクセスポイントである装置、或いは、その装置と有線接続された装置である。
【００８６】
また、上記実施の形態では、ネットワーク識別子としてＳＳＩＤを例示したが、ネットワーク識別子は無線ネットワークを識別して無線ネットワークとの接続に用いられるものであればいかなる情報であってもよい。例えば、ネットワーク識別子は、ＥＳＳＩＤ（Extended Service Set Identifier）、ＢＳＳＩＤ（Basic Service Set Identifier）等であってもよい。
【００８７】
また、上記実施の形態で示した照明制御装置１００、１００ａの各構成要素（例えば設定部１２０、表示部１３０、受付部１４０、保存部１６０、読込部１７０、処理部１９０、１９０ａ、通信部１８０、１８０ａ、認証部１９５等）の機能分担は上述の例に限られず、任意に分担を変更し得る。また、照明制御装置１００、１００ａは、インターネット等の広域ネットワークを介して外部のサーバ装置と通信する機能を有してもよく、照明制御装置１００、１００ａは、機能の一部を、そのサーバ装置に分担させてもよい。
【００８８】
また、上述の照明制御システム１０における処理手順（図８及び図１３に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図８及び図１３に示す手順等）の全部又は一部は、ハードウェアにより実現されても、ソフトウェアを用いて実現されてもよい。また、照明制御装置１００、１００ａのプロセッサで実行する制御プログラムを記録媒体に記録して頒布、流通等させてもよい。例えば、頒布された制御プログラムをコンピュータにインストールして、プロセッサに実行させることで、コンピュータに図８或いは図１３に示した処理手順の全部又は一部を行わせることが可能となる。
【００８９】
また、上記実施の形態及び変形態様等で示した構成要素及び機能を、任意に組み合わせることで実現される形態も本発明の範囲に含まれる。
【００９０】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００９１】
以下、本発明の一態様に係る照明制御装置、照明制御システム及び制御プログラムについての構成、変形態様、効果等について示す。
【００９２】
（１）本発明の一態様に係る照明制御装置は、照明器具３０ａ〜３０ｌを制御用情報（例えば調光度情報、スケジュール情報等）に従って制御するコントローラ２００ａ〜２００ｃを介して、照明器具の制御を行う照明制御装置１００、１００ａであって、複数の名称（例えば部屋名等）それぞれと、制御用情報の伝送に用いられる複数の無線ネットワークそれぞれについてのネットワーク識別子（例えばＳＳＩＤ）とを対応付けた対応情報１１１を記憶する記憶部１１０、１１０ａと、複数の無線ネットワークのうちの１つの無線ネットワークと接続して、その無線ネットワークに含まれるコントローラ（コントローラ２００ａ〜２００ｃのいずれか）と情報の授受を行う通信部１８０、１８０ａと、対応情報１１１における複数の名称を選択肢として表示する表示部１３０と、複数の名称の選択肢のうち１つの名称の選択操作を含むユーザ操作を受け付ける受付部１４０と、受付部１４０により名称の選択操作が受け付けられた場合に、その選択操作に係る名称に対応情報１１１において対応付けられている、無線ネットワークについてのネットワーク識別子（例えばＳＳＩＤ）を用いて、その無線ネットワークとの接続に関連する所定処理を実行する処理部１９０、１９０ａとを備える。これにより、ユーザはネットワーク識別子を記憶していなくても無線ネットワークとの接続に関連する所定処理を実行させることができる。即ち、複数の無線ネットワークそれぞれのコントローラを介して照明器具を制御する照明制御装置を操作するユーザの負担が軽減され得る。
【００９３】
（２）例えば、照明制御装置１００、１００ａは更に、ユーザに入力された名称を取得することで、記憶部１１０、１１０ａに記憶される対応情報１１１を生成する設定部１２０を備え、設定部１２０は、複数の無線ネットワークのうち第１領域（例えば部屋Ｘ）に所在する照明器具（例えば照明器具３０ａ〜３０ｄ等）を制御する第１コントローラ（例えばコントローラ２００ａ）を含む第１無線ネットワークについての第１ネットワーク識別子（例えばコントローラ２００ａのＳＳＩＤ）に対応付ける名称としてユーザに入力された、第１領域に係る第１名称（例えば「部屋Ｘ」）を取得し、複数の無線ネットワークのうち第１領域とは異なる第２領域（例えば部屋Ｙ）に所在する照明器具（例えば照明器具３０ｅ〜３０ｈ等）を制御する第２コントローラ（例えばコントローラ２００ｂ）を含む第２無線ネットワークについての第２ネットワーク識別子（例えばコントローラ２００ｂのＳＳＩＤ）に対応付ける名称としてユーザに入力された、第２領域に係る第２名称（例えば「部屋Ｙ」）を取得し、少なくとも第１ネットワーク識別子と第１名称とを対応付けること及び第２ネットワーク識別子と第２名称とを対応付けることにより、対応情報１１１の生成を行うこととしてもよい。これにより、ユーザが各領域について分かり易い名称を定めておくことが可能となる。ユーザは一度適切な名称を定めておけば、それ以後において、無線ネットワークの選択等を、その名称の識別によって的確に行えるようになる。
【００９４】
（３）例えば、通信部１８０は、接続した無線ネットワークに含まれるコントローラ（例えばコントローラ２００ａ）から、そのコントローラが制御する照明器具（例えば照明器具３０ａ〜３０ｄ）の状態を示す状態情報を受信し、表示部１３０は更に、通信部１８０により受信された状態情報を表す照明制御用画面４０を表示し、処理部１９０は、通信部１８０が第１無線ネットワークに接続して第１コントローラ（例えばコントローラ２００ａ）から受信した状態情報に基づいて表示部１３０が照明制御用画面４０を表示している場合において、受付部１４０がユーザによる第２名称（例えば「部屋Ｙ」）の選択操作を受け付けたときには、第２ネットワーク識別子を用いて通信部１８０に第１無線ネットワークから第２無線ネットワークへ接続を切り替えさせることを、上述の所定処理として実行することとしてもよい。これにより、ユーザは、照明制御用画面４０を表示した状態において名称の選択によって迅速に照明制御装置１００に無線接続の切り替えを行わせることができる。このため、複数の領域（例えば図１の部屋Ｘ及び部屋Ｙ等）の照明器具の制御のためのユーザの負担が軽減され得る。
【００９５】
（４）例えば、照明制御装置１００は更に、制御用情報を記録するための記録媒体１５０と、ユーザによる保存操作（例えばデータ保存ボタン４６、保存ボタン４６ｄ等の押下）に応じて制御用情報を含む制御用ファイルを記録媒体１５０に記録する保存部１６０とを備え、処理部１９０は、記録媒体１５０に記録された制御用ファイルに対して、受付部１４０により受け付けられた選択操作に係る名称に対応情報１１１において対応付けられているネットワーク識別子を関連付けることを、上述の所定処理として実行し、照明制御装置１００は更に、ユーザによる読込操作（例えばデータ読込ボタン４５、読込ボタン４５ｄ等の押下）に応じて記録媒体１５０に記録された１つの制御用ファイルを読み込む読込部１７０を備え、通信部１８０は、読込部１７０が読み込んだ制御用ファイルにネットワーク識別子が関連付けられている場合には、そのネットワーク識別子を用いて無線ネットワークに接続して、接続したその無線ネットワークに含まれるコントローラに、その制御用ファイルに含まれる制御用情報を送信することとしてもよい。これにより、ユーザが制御用ファイルを読み込むために必要な操作を行うだけで、制御用ファイルの内容が対応するコントローラに送信されるので、ユーザの操作負担が軽減される。
【００９６】
（５）例えば、保存部１６０は、通信部１８０が１つの無線ネットワークに接続している場合においては、一定条件下で（例えば図５に示す画面４６ａで接続中のＳＳＩＤを示すラジオボタンが選択された場合に）、記録媒体１５０への制御用ファイルの記録に際して、制御用ファイルとその接続している無線ネットワークについてのネットワーク識別子とを関連付けることとしてもよい。これにより、制御用ファイルとネットワーク識別子との関連付けに係るユーザの操作負担が軽減される。
【００９７】
（６）例えば、読込部１７０は、ユーザによる読込操作に応じて、表示部１３０に、記録媒体１５０に記録された１つ以上の制御用ファイルを選択肢として表示させ（図６参照）、その選択肢のうちユーザによる１つの制御用ファイルの選択操作を受け付けた場合にその選択操作に係る１つの制御用ファイルを読み込み、読込部１７０は、通信部１８０が１つの無線ネットワークに接続している場合においては、一定条件下で（例えばチェックボックス４５ｂにチェックがなされた場合に）、表示部１３０に、１つ以上の制御用ファイルの選択肢を、その接続している無線ネットワークについてのネットワーク識別子と関連付けられた制御用ファイルに絞り込ませて、その選択肢の表示を行わせることとしてもよい。これにより、ユーザが所望の制御用ファイルを迅速に選択できるようになる。
【００９８】
（７）例えば、照明制御装置１００は更に、制御用情報を記録するための記録媒体１５０と、ユーザによる保存操作に応じて制御用情報を含む制御用ファイルを記録媒体１５０に記録する保存部１６０とを備え、保存部１６０は、記録媒体１５０への制御用ファイルの記録に際して制御用ファイルと対応情報１１１におけるいずれかのネットワーク識別子とを関連付け、照明制御装置１００は更に、ユーザによる読込操作に応じて記録媒体１５０に記録された１つの制御用ファイルを読み込む読込部１７０を備え、通信部１８０は、読込部１７０が読み込んだ制御用ファイルにネットワーク識別子が関連付けられている場合には、そのネットワーク識別子を用いて無線ネットワークに接続して、接続したその無線ネットワークに含まれるコントローラに、制御用ファイルに含まれる制御用情報を送信することとしてもよい。これにより、ユーザが制御用ファイルを読み込むために必要な操作を行うだけで、制御用ファイルの内容が対応するコントローラに送信されるので、ユーザの操作負担が軽減される。
【００９９】
（８）例えば、照明制御装置１００ａは、ユーザの認証に成功した場合に限って照明器具の制御を行う機能を実行し、処理部１９０ａは、ユーザ毎にユーザの認証に用いる認証情報を設定するための所定権限（例えば記憶部１１０ａに認証関連情報１１２を記憶させる権限）を有する特定ユーザによるユーザ操作が受付部１４０により受け付けられた後において、認証情報と、受付部１４０により受け付けられた特定ユーザによる選択操作に係る名称に対応情報１１１において対応付けられているネットワーク識別子とを関連付けて記憶部１１０ａに記憶させることを、上述の所定処理として実行し、照明制御装置１００ａは更に、記憶部１１０ａに記憶されている認証情報を用いてユーザを認証する認証部１９５を備え、通信部１８０ａは、認証部１９５がユーザの認証に成功した場合には、そのユーザの認証に用いられた認証情報に関連付けられているネットワーク識別子を用いて無線ネットワークに接続することとしてもよい。これにより、ユーザは、ユーザ認証に必要な操作を行えば、別に無線ネットワークとの接続のための操作を行わなくても、照明制御装置１００ａに照明器具の制御を行わせることが可能となる。
【０１００】
（９）例えば、照明制御装置１００ａは、ユーザの認証に成功した場合に限って照明器具の制御を行う機能を実行し、記憶部１１０ａは更に、ユーザ毎にユーザの認証に用いる認証情報と、対応情報１１１におけるいずれかのネットワーク識別子とを関連付けて記憶し、照明制御装置１００ａは更に、記憶部１１０ａに記憶されている認証情報を用いてユーザを認証する認証部１９５を備え、通信部１８０ａは、認証部１９５がユーザの認証に成功した場合には、そのユーザの認証に用いられた認証情報に関連付けられているネットワーク識別子を用いて無線ネットワークに接続し、一定条件下で（例えばユーザ操作に応じて）、その無線ネットワークにおけるコントローラに制御用情報を送信することとしてもよい。これにより、ユーザは、ユーザ認証に必要な操作を行うことで、照明制御装置１００ａに、そのユーザが利用する照明器具等の制御を行わせることが可能となる。
【０１０１】
（１０）本発明の一態様に係る照明制御システムは、照明器具３０ａ〜３０ｌを制御する照明制御システム１０であって、第１領域に所在する照明器具３０ａ〜３０ｄを制御する第１コントローラ（コントローラ２００ａ）と、第１領域とは異なる第２領域に所在する照明器具３０ｅ〜３０ｈを制御する第２コントローラ（コントローラ２００ｂ）と、第１コントローラ及び第２コントローラのいずれかのコントローラに制御用情報を送信することでそのコントローラを介して照明器具を制御する照明制御装置１００、１００ａとを備え、照明制御装置１００、１００ａは、第１コントローラを含む第１無線ネットワークと、第２コントローラを含む第２無線ネットワークとのいずれかと接続して制御用情報を送信する通信部１８０、１８０ａと、第１無線ネットワークについての第１ネットワーク識別子（例えばコントローラ２００ａのＳＳＩＤ）と第１領域に係る第１名称とを対応付け、第２無線ネットワークについての第２ネットワーク識別子（例えばコントローラ２００ｂのＳＳＩＤ）と第２領域に係る第２名称とを対応付けた対応情報１１１を記憶する記憶部１１０、１１０ａと、対応情報１１１における第１名称及び第２名称を名称の選択肢として表示する表示部１３０と、名称の選択肢のうち１つの名称の選択操作を含むユーザ操作を受け付ける受付部１４０と、受付部１４０により名称の選択操作が受け付けられた場合に、その選択操作に係る名称に対応情報１１１において対応付けられている、無線ネットワークについてのネットワーク識別子を用いて、その無線ネットワークとの接続に関連する所定処理を実行する処理部１９０、１９０ａとを備える。ＳＳＩＤ等のネットワーク識別子は一般的に記憶し難いが、分かり易く適切に第１名称及び第２名称を定めておけば、ユーザはその選択によって比較的容易に、照明制御装置１００、１００ａに無線ネットワークとの接続に関連する所定処理を実行させることができるようになる。
【０１０２】
（１１）本発明の一態様に係る制御プログラムは、照明器具を制御用情報に従って制御するコントローラを介して照明器具の制御を行う、記憶部（例えばメモリ等の記憶媒体）及びマイクロプロセッサを含む照明制御装置に、照明制御処理を実行させるための制御プログラム（例えば照明制御用のアプリケーションプログラム等）であって、その照明制御処理は、複数の無線ネットワークのうち第１領域に所在する照明器具３０ａ〜３０ｄを制御する第１コントローラ（コントローラ２００ａ）を含む第１無線ネットワークについての第１ネットワーク識別子（例えばコントローラ２００ａのＳＳＩＤ）に対応付ける名称としてユーザに入力された、第１領域に係る第１名称（例えば「部屋Ｘ」）を取得し、複数の無線ネットワークのうち第１領域とは異なる第２領域に所在する照明器具３０ｅ〜３０ｈを制御する第２コントローラ（コントローラ２００ｂ）を含む第２無線ネットワークについての第２ネットワーク識別子（例えばコントローラ２００ｂのＳＳＩＤ）に対応付ける名称としてユーザに入力された、第２領域に係る第２名称（例えば「部屋Ｙ」）を取得する取得ステップ（例えばステップＳ１１、Ｓ３２）と、第１ネットワーク識別子と第１名称とを対応付け、第２ネットワーク識別子と第２名称とを対応付けた対応情報１１１を生成して記憶部に記憶させる設定ステップ（例えばステップＳ１２、Ｓ３３）と、対応情報１１１における第１名称及び第２名称を名称の選択肢として表示する表示ステップ（例えばステップＳ１４、Ｓ３６）と、名称の選択肢のうち１つの名称の選択操作を含むユーザ操作を受け付ける受付ステップ（例えばステップＳ１５、Ｓ３７）と、受付ステップで名称の選択操作が受け付けられた場合に、その選択操作に係る名称に対応情報１１１において対応付けられている、無線ネットワークについてのネットワーク識別子を用いて、その無線ネットワークとの接続に関連する所定処理を実行する処理ステップ（例えばステップＳ１６、Ｓ３８）と、複数の無線ネットワークのうちの１つの無線ネットワークと接続している場合に、その無線ネットワークに含まれるコントローラに対して制御用情報を送信する通信ステップ（例えばステップＳ１８、Ｓ４４）とを含む。このプログラムをコンピュータにインストールして、コンピュータに実行させることにより、複数の無線ネットワークそれぞれのコントローラを介して照明器具を制御したいユーザの負担が軽減され得る。
【符号の説明】
【０１０３】
１０  照明制御システム
３０ａ〜３０ｌ  照明器具
１００、１００ａ  照明制御装置
１１０、１１０ａ  記憶部
１１１  対応情報
１２０  設定部
１３０  表示部
１４０  受付部
１５０  記録媒体
１６０  保存部
１７０  読込部
１８０、１８０ａ  通信部
１９０、１９０ａ  処理部
１９５  認証部
２００ａ〜２００ｃ  コントローラ
【図１】
2018137696.tif 000003
【図２】
2018137696.tif 000004
【図３】
2018137696.tif 000005
【図４】
2018137696.tif 000006
【図５】
2018137696.tif 000007
【図６】
2018137696.tif 000008
【図７】
2018137696.tif 000009
【図８】
2018137696.tif 000010
【図９】
2018137696.tif 000011
【図１０】
2018137696.tif 000012
【図１１】
2018137696.tif 000013
【図１２】
2018137696.tif 000014
【図１３】
2018137696.tif 000015